(57)【要約】【課題】構造が簡単で、かつ、解錠位置側への移動が不能である条件を加味してデッドボルトの施錠位置を検出することのできる錠装置の提供を目的とする。【解決手段】錠ケース１内に収容され、錠ケース１から突出する施錠位置と錠ケース１内に没入する解錠位置との間を施解錠操作装置２により進退操作されるデッドボルト３と、  デッドボルト３が施錠位置にあるときに該デッドボルト３に形成された係止部４に係止してデッドボルト３の解錠位置側への移動を規制し、前記施解錠操作装置２の解錠操作により係止解除位置に退避駆動されるロック部材５と、  ロック部材５がデッドボルト３への係止対応位置にあることを検出する施錠検知部６とを有する。【選択図】  図１
2008127781.tif 000002
【特許請求の範囲】
【請求項１】
錠ケース内に収容され、錠ケースから突出する施錠位置と錠ケース内に没入する解錠位置との間を施解錠操作装置により進退操作されるデッドボルトと、
デッドボルトが施錠位置にあるときに該デッドボルトに形成された係止部に係止してデッドボルトの解錠位置側への移動を規制し、前記施解錠操作装置の解錠操作により係止解除位置に退避駆動されるロック部材と、
ロック部材がデッドボルトへの係止対応位置にあることを検出する施錠検知部と、
を有する錠装置。
【請求項２】
前記ロック部材はデッドボルトとの係止位置側に付勢されるとともに、
デッドボルトには、非施錠位置において前記ロック部材を摺動自在に支承する乗り上げ面が形成される請求項１記載の錠装置。
【請求項３】
前記施錠検知部は、ロック部材に固定された磁石と、
錠ケース側に固定される磁気センサとから構成される請求項１または２記載の錠装置。
【発明の詳細な説明】
【技術分野】
【０００１】
本発明は、錠装置に関するものである。
【背景技術】
【０００２】
錠ケース内に収容されたデッドボルトを錠ケースから進退させて施解錠する錠装置としては、特許文献１に記載のものが知られている。この従来例において、錠装置は、案内部材により直進方向にガイドされるデッドボルトと、錠ケース外部に固定されるシリンダ錠、あるいはサムターン装置により回転駆動されるダルマと、ダルマ、デッドボルト間を連結するクランクアームとを有する。ダルマはアクチュエータによる回転駆動が可能であり、ダルマの回転に伴ってデッドボルトは施解錠位置間を移動する。
【０００３】
また、施解錠状態を検知するために、デッドボルトにはクランクアームの回転に伴って回転する作動カムが連結されるとともに、所定位置に磁石感応型のスイッチが固定される。デッドボルトが施錠位置に移動すると、作動カムの回転によりデッドボルト進退方向にスライドするスライダ上のマグネットがデッドボルト突出方向に移動してスイッチにより施錠状態が検出される。
【特許文献１】特開２００６-１３８１３６号公報
【発明の開示】
【発明が解決しようとする課題】
【０００４】
しかし、上述した従来例において、施錠位置の検出は、クランクアームの回転に追随して移動するスライダ位置により行われるために、以下の欠点がある。すなわち、デッドボルトが施錠位置にあるときに、上記特許文献１の図１３に示されるように、クランクアームから突設される第２可動ピンは案内部材の案内部に形成された屈曲部に落ち込んでデッドボルトの解錠方向への移動が規制される。したがって、クランクアームの当該位置に対応したスライダ位置の検出による施錠位置の検出結果は、デッドボルトの解錠位置側への移動不能性に対する保証が伴うものとも思われる。
【０００５】
しかし、スライダ位置は、あくまで第２可動ピン位置を間接的に判定するためのものであり、リンク長、案内部等には寸法誤差があるために、デッドボルトが現在錠ケースから突出して施錠位置にあることは保証できても、解錠位置側に移動することができない状態であることまでも保証することはできない上に、構造も複雑であるという欠点がある。
【０００６】
本発明は、以上の問題を解決すべくなされたものであって、構造が簡単で、かつ、解錠位置側への移動が不能である条件を加味してデッドボルトの施錠位置を検出することのできる錠装置の提供を目的とする。
【課題を解決するための手段】
【０００７】
錠装置は、錠ケース１内に収容したデッドボルト３を施解錠操作装置２により駆動可能に形成される。施解錠操作装置２には、モータ等のアクチュエータを動力とするもの、あるいはシリンダ錠、サムターン装置等の手動による装置であってもよい。
【０００８】
デッドボルト３は、錠ケース１前面（以下、本明細書において、デッドボルト３が飛び出す方向を「前方」とし、「上下」「側方」は扉体に固定した姿勢を基準に決定する。）から飛び出す施錠位置と、錠ケース１内に没入する解錠位置との間を移動し、施錠位置においてロック部材５が係止部４に係止して解錠位置側への移動を規制する。
【０００９】
施錠検知部６は、上記ロック部材５がデッドボルト３との係止位置にあるか否かを検出する。検出信号は、種々の目的で使用することが可能であり、例えば、ユーザへの不完全施錠状態の警告動作の開始信号として、あるいは、アクチュエータを使用した施解錠操作においては、施解錠動作の完了通知信号として利用される。
【００１０】
施錠検知部６が、デッドボルト３に係止して該デッドボルト３の解錠位置への移動を直接規制しているロック部材５の係止状態を検出するこの発明において、誤動作、あるいは各部品の誤差集積等により、容易に解錠位置への移動が可能な状態でデッドボルト３が施錠位置に移動しても施錠検知部６は施錠状態を検出することはないために、検出の信頼性が向上する。
【００１１】
また、錠装置は、
前記ロック部材５はデッドボルト３との係止位置側に付勢されるとともに、
デッドボルト３には、非施錠位置において前記ロック部材５を摺動自在に支承する乗り上げ面７を形成して構成することができる。この場合、デッドボルト３が非施錠位置においては、ロック部材５が係止位置に移動することができないために、非施錠位置において過ってロック部材５が係止位置に移動し、施錠検知部６によって検出されることがなくなる。この結果、検出信頼性をより向上させることができる。
【発明の効果】
【００１２】
本発明によれば、構造が簡単で、かつ、解錠位置側への移動が不能である条件を加味したデッドボルトの施錠位置を検出することができる。
【発明を実施するための最良の形態】
【００１３】
図１に示すように、錠装置は、錠ケース１内に収容されるデッドボルト３を備える。錠ケース１の前端面には、図外の扉体内に挿入して固定するときの扉体への固定用フランジを提供する取付プレート１ａと、扉体への固定後に取付用ビスを隠すための化粧プレート１ｂがねじ止めされる。
【００１４】
デッドボルト３は、板材を断面Ｕ字形状に屈曲させて前後に長く形成され、図１（ａ）に示すように、前端が取付プレート１ａ、および化粧プレート１ｂを貫通して錠ケース１外に飛び出す施錠位置と、図２（ａ）に示すように、錠ケース１内に没入した解錠位置との間で進退移動する。また、デッドボルト３の後端部の上面には、乗り上げ面７と、乗り上げ面７の後端を階段状に切り欠いた係止部４とが形成される。
【００１５】
上記デッドボルト３を駆動するために、錠ケース１内には電動の施解錠操作装置２として機能する動力ユニット２Ａが固定される。図１（ｂ）に示すように、動力ユニット２Ａは、モータ２ａの動力を回転出力軸２ｂの回転動力に変換する歯車列、およびモータ２ａの制御等に必要な通電部品をユニットケース２ｃ内に収容して形成される。
【００１６】
動力ユニット２Ａの回転出力軸２ｂに出力される回転動力は、回転出力軸２ｂに連結される平歯車からなる出力ギア１０、この出力ギア１０に噛合するラック伝達部材１１を介して回転カム１２に伝達される。回転カム１２が回転駆動されると、回転カム１２のデッド操作リンク部１２ａがデッドボルト３の後端に突設される操作突出部３ａを押圧し、デッドボルト３を進退駆動する。
【００１７】
また、上記動力ユニット２Ａの回転出力軸２ｂと最後段ギア２ｄとの間には回転方向に遊びが設定され、モータ２ａは、例えば施錠方向に駆動された場合には、回転出力軸２ｂを施錠方向に回転させた後、遊び角の範囲で反転駆動される。この結果、回転出力軸２ｂは歯車列の規制を受けることなく解錠方向への回転が可能なり、後述するシリンダ錠２Ｂ等による解錠操作を可能にする。
【００１８】
さらに、錠装置には手動の施解錠操作装置２として、シリンダ錠２Ｂと、サムターン装置２Ｃを連結することができる。図３に示すように、錠ケース１の側方壁に開設され、回転カム１２を臨む取付孔１ｃからシリンダ錠２Ｂ等の取付突部２ｅを挿入して錠ケース１に固定すると、シリンダ錠２Ｂ等への操作により回転する連結子２ｆが回転カム１２のカム孔１２ｂに挿入する。
【００１９】
この状態でシリンダ錠２Ｂ等を現在の状態を反転させる方向に操作すると、動力ユニット２Ａの規制を受けることなく回転カム１２を回転させ、デッドボルト３を反転位置に移動させることができる。
【００２０】
施錠位置に駆動されたデッドボルト３が不用意に解錠位置に移動することがないように、錠装置にはロック部材５が装着される。図４に示すように、ロック部材５は、一端に軸受筒部５ａを、他端にカム片５ｂとシャフト固定部５ｃとを有する。シャフト固定部５ｃには、ロックシャフト５ｄが嵌合され、さらに、シャフト固定部５ｃの壁面に磁石８が固定される。磁石８のロック部材５への磁束集中を防止し、後述する磁気センサ９による検出精度を高めるために、ロック部材５は、合成樹脂材により形成される。
【００２１】
図４（ｂ）に示すように、上記ロック部材５は、軸受筒部５ａを錠ケース１から突出する軸１ｄに外嵌合して回転自在に軸支され、トーションスプリング１３により反時計回りに付勢される。このロック部材５は、図１（ａ）に示すように、デッドボルト３が施錠位置にあるときにロックシャフト５ｄが係止部４に係止し、施錠位置以外では、乗り上げ面７に乗り上げる位置に配置される。ロックシャフト５ｄの両端をガイドするために、錠ケース１にはガイド長孔１ｅが形成される（図１参照）。
【００２２】
したがってこの実施の形態において、デッドボルト３が施錠位置にあるときには、図１（ａ）に示すように、ロック部材５のロックシャフト５ｄは係止部４に係止しており（ロック回転位置）、デッドボルト３の解錠位置側への移動が規制される。この状態から施解錠操作装置２により解錠操作を行うと、回転カム１２の解錠回転位置側への時計回り方向回転に伴って、ロック部材５のカム片５ｂは回転カム１２のデッド操作リンク部１２ａに押し上げられて時計回りに回転する。
【００２３】
ロック部材５の回転によりロックシャフト５ｄの係止部４への係止が解除され、次いで、デッドボルト３が解錠位置側に駆動されると、ロックシャフト５ｄは乗り上げ面７上に乗り上げた状態となり（乗り上げ回転位置）、以後、図２に示すように、乗り上げ面７上を相対的に摺動してデッドボルト３の解錠位置への移動を許容する。
【００２４】
再び施錠操作が行われ、デッドボルト３が施錠位置まで移動すると、ロックシャフト５ｄは乗り上げ面７上を相対的に摺動して移動し、やがて、デッドボルト３が施錠位置に達すると、トーションスプリング１３の付勢力により係止部４に落ち込み、以後、デッドボルト３の移動を規制する。
【００２５】
さらに、ロック部材５のロック回転位置と乗り上げ回転位置との間の移動に伴って、ロック部材５の磁石８は動力ユニット２Ａに離接する。動力ユニット２Ａには、磁気センサ９としてのホール素子が実装基板上に実装されている。ホール素子９の磁束検出閾値は、磁石８が最接近する乗り上げ回転位置近傍に設定されており、ロック部材５がロック位置に移行して磁束が検出されなくなると、所定の施錠確認信号を出力する。
【００２６】
上記動力ユニット２Ａ内の制御部は、施錠確認信号受領により施錠動作を終結し、未達の場合には、再トライ、あるいはアラート信号を出力する。
【図面の簡単な説明】
【００２７】
【図１】本発明を示す図で、（ａ）は施錠状態を示す図、（ｂ）は（ａ）からデッドボルトを取り除いた状態を示す図である。
【図２】解錠状態を示す図で、（ａ）はデッドボルトを示した図、（ｂ）は（ａ）からデッドボルトを取り除いた状態を示す図である。
【図３】シリンダ錠を装着した状態を示す断面図である。
【図４】ロック部材を示す図で、（ａ）は斜視図、（ｂ）は錠ケースへの取付状態を示す分解斜視図、（ｃ）は図１（ａ）の４Ｃ-４Ｃ線断面図である。
【符号の説明】
【００２８】
１        錠ケース
２        施解錠操作装置
３        デッドボルト
４        係止部
５        ロック部材
６        施錠検知部
７        乗り上げ面
８        磁石
９        磁気センサ
【図１】
2008127781.tif 000003
【図２】
2008127781.tif 000004
【図３】
2008127781.tif 000005
【図４】
2008127781.tif 000006